(57)【要約】【課題】本発明は、外壁パネルが脱落することなく、確実に固定することができる固定金物を提供する。【解決手段】建築物の躯体壁面に外壁パネルを固定するための固定金物であって、前記壁面に配置するレールに回動自在に係合する上固定金物と、前記レールに掛止する下固定金物と、からなり、前記下固定金物は、前記外壁パネルの背面に固定する固定部と、前記固定部の両側辺から立設する一対の垂直部と、を有し、前記垂直部は、前記レールの断面形状に合わせて切り欠いたレール掛止部を有し、前記固定部は、下辺から前記垂直部とは逆方向に突設した、前記外壁パネルの下端を支持するパネル支持片を有することを特徴とする、固定金物。【選択図】図１
2018009383.tif 000002
【特許請求の範囲】
【請求項１】
建築物の躯体壁面に外壁パネルを固定するための固定金物であって、
前記壁面に設置するレールに回動自在に係合する上固定金物と、前記レールに掛止する下固定金物と、からなり、
前記下固定金物は、前記外壁パネルの背面に固定する固定部と、前記固定部の両側辺から立設する一対の垂直部と、を有し、
前記垂直面部は、前記レールの断面形状に合わせて切り欠いたレール掛止部を有し、
前記固定面部は、下辺から前記垂直面部とは逆方向に突設した、前記外壁パネルの下端を支持するパネル支持片を有することを特徴とする、固定金物。
【請求項２】
請求項１に記載の固定金物において、
前記上固定金物および前記下固定金物は、前記上固定金物または前記下固定金物から前記外壁パネルの内部へ貫通するボルトと、前記外壁パネルの内部にて前記ボルトと螺合するナットと、によって前記外壁パネルに固定することを特徴とする、固定金物。
【請求項３】
請求項２に記載の固定金物において、
前記ナットは、前記外壁パネルの上部から下部に亘って設ける板状の部材であり、前記上固定金物および前記下固定金物と同時に結合することを特徴とする、固定金物。
【発明の詳細な説明】
【技術分野】
【０００１】
本発明は、建築物の外装材である外壁パネルを壁面に固定するための固定金物に関するものである。
【背景技術】
【０００２】
近年、建築物のデザイン化が進み、大型タイルからなる外壁パネルによって外装仕上げを行うことが多くなっている。
大型タイルからなる外壁パネルの固定方法として、外壁パネルの裏面に２本の平行の溝を縦方向に形成し、この縦方向の溝を挟み込むように掛止する爪を備えた金具を取り付け、この金具を建築物の躯体壁面に配置したレールに取り付ける方法が行われている。
【０００３】
従来の金具はセンターピースと、その両側に位置する二つのサイドピースと、それらを一体とするボルトと、からなる。
そして、サイドピースに設けた爪を外壁パネルの溝に引っかけた状態でボルトを締め付けることにより、ボルトの締め付け力で溝どうしの間を挟み込んで金具を固定する。
【先行技術文献】
【特許文献】
【０００４】
【特許文献１】特許第４７０９９４１号明細書
【発明の概要】
【発明が解決しようとする課題】
【０００５】
この従来の金物を用いた工法には、以下のような問題点がある。
（１）金具はボルトの締め付け力によって固定するが、外壁パネルは気温の変化や日射により膨張・収縮する。この膨張・収縮によって、外壁パネルに対するボルトの締め付け力が低下し、金具がずれてしまうおそれがある。
（２）金具は外壁パネルの下端を支持していないため、金具がずれてしまうと外壁パネルが躯体壁面から脱落してしまうおそれがある。
（３）ボルトの締め付け力によって固定するため、締め付けトルクの管理が必要となる。
（４）金具がセンターピースと二つのサイドピースをボルトで一体とするものであり、部材点数が多くなってしまう。
【０００６】
本発明は、外壁パネルが脱落することなく、確実に固定することができる固定金物を提供することを目的とする。
【課題を解決するための手段】
【０００７】
上記目的を達成するためになされた本願の第１発明は、建築物の躯体壁面に外壁パネルを固定するための固定金物であって、前記壁面に配置するレールに回動自在に係合する上固定金物と、前記レールに掛止する下固定金物と、からなり、前記下固定金物は、前記外壁パネルの背面に固定する固定部と、前記固定部の両側辺から立設する一対の垂直部と、を有し、前記垂直部は、前記レールの断面形状に合わせて切り欠いたレール掛止部を有し、前記固定部は、下辺から前記垂直部とは逆方向に突設した、前記外壁パネルの下端を支持するパネル支持片を有することを特徴とする、固定金物を提供する。
本願の第２発明は、第１発明の固定金物において、前記上固定金物および前記下固定金物は、前記上固定金物または前記下固定金物から前記外壁パネルの内部へ貫通するボルトと、前記外壁パネルの内部にて前記ボルトと螺合するナットと、によって前記外壁パネルに固定することを特徴とする、固定金物を提供する。
本願の第３発明は、第２発明の固定金物において、前記ナットは、前記外壁パネルの上部から下部に亘って設ける板状の部材であり、前記上固定金物および前記下固定金物と同時に結合することを特徴とする、固定金物を提供する。
【発明の効果】
【０００８】
本発明は、上記した課題を解決するための手段により、次のような効果の少なくとも一つを得ることができる。
（１）本発明の固定金物は、ボルトとナットにより外壁パネルの背面に固定するため、外壁パネルが膨張・収縮しても、ずれたり外壁パネルが脱落したりすることがない。
（２）下固定金物により外壁パネルの下端を支持しているため、外壁パネルの重量を下固定金物で受けることができる。
（３）ボルトの締め付けトルクの管理が不要である。
（４）上固定金物と下固定金物はそれぞれ独立した一体物であるため、部材点数が少なくてすむ。
【図面の簡単な説明】
【０００９】
【図１】固定金物を用いた外壁パネルの取付状態の説明図
【図２】固定金物の斜視図
【図３】固定金物と固定パネルを用いた外壁パネルの取付状態の説明図
【発明を実施するための形態】
【００１０】
以下、図面を参照しながら本発明の実施の形態について説明する。
【実施例】
【００１１】
［実施例１］
＜１＞固定金物の構成。
本発明の固定金物１は外壁パネルＰの背面に固定し、躯体壁面Ｗに設置したレール２に係合または掛止することで、外壁パネルＰを躯体壁面Ｗに沿って配置するものである（図１）。
外壁パネルＰは、テラコッタタイルなどの中空部Ｐ１や空間を持つ窯業系、金属製、樹脂製、木質製などのパネルである。
固定金物１には外壁パネルＰの上端に取り付ける上固定金物１１と、下端に取り付ける下固定金物１２と、を有する。
レール２は、躯体壁面Ｗにアンカーボルト３１によって固定したアングル３２の水平面の上面に固定ボルト３３によって固定する。
【００１２】
＜２＞上固定金物。
上固定金物１１は、１枚の鋼板を切断・折曲して形成したものである。
上固定金物１１は、レール固定面１１１がレール２に接した状態でリベット１１２により回動自在にレール２に取り付ける。
【００１３】
＜２．１＞上固定金物と外壁パネルの固定。
上固定金物１１のレール固定面１１１にはボルト孔１１３を形成し（図２）、ボルト孔１１３と外壁パネルＰを背面から中空部Ｐ１に向けて貫通する上固定ボルト１１４と、中空部Ｐ１に配置した上固定ナット１１５を螺合して、上固定金物１１を外壁パネルＰに固定する。
上固定金物１１を上固定ボルト１１４と上固定ナット１１５により外壁パネルＰの背面に固定するため、外壁パネルＰが膨張・収縮しても、ずれたりに外壁パネルＰが脱落したりすることがない。また、上固定ボルト１１４は容易に緊結することができ、締め付けトルクの管理も不要である。
ボルト孔１１３は長孔とし、上固定ボルト１１４が上下動できる程度に上固定ナット１１５と螺合する。これにより、上固定金物１１を固定した外壁パネルＰが面内方向に対して所定の挙動が確保され、地震時などの層間変位に追従することができる。
また、上固定ナット１１５を中空部Ｐ１の幅に合わせた角ナット状とすることで、上固定ナット１１５が中空部Ｐ１内で供回りすることなく、確実に螺合することができる。
【００１４】
＜３＞下固定金物。
下固定金物１２は、上固定金物１１と同様、１枚の鋼板を切断・切曲して構成したものである。
下固定金物１２は、外壁パネルＰの背面に固定する固定部１２１と、固定部１２１の両側辺から立設する一対の垂直部１２２と、を有する。
垂直部１２２にはレール２の断面形状に合わせて切り欠いたレール掛止部１２３を形成し、下固定金物１２はレール２に掛止する。
【００１５】
＜３．１＞下固定金物と外壁パネルの固定。
下固定金物１２の固定部１２１にはボルト孔１２４を形成し（図２）、ボルト孔１２４と外壁パネルＰを背面から中空部Ｐ１に向けて貫通する下固定ボルト１２５と、中空部Ｐ１に配置した下固定ナット１２６を螺合して、下固定金物１２を外壁パネルＰに固定する。
下固定金物１２を下固定ボルト１２５と下固定ナット１２６により外壁パネルＰの背面に固定するため、外壁パネルＰが膨張・収縮しても、ずれたり外壁パネルＰが脱落したりすることがない。また、下固定ボルト１２５の締め付けトルクの管理も不要である。
ボルト孔１２４は長孔とし、下固定ボルト１２５が上下動できる程度に下固定ナット１２６と螺合する。これにより、下固定金物１２を固定した外壁パネルＰが面内方向に対して所定の挙動が確保され、地震時などの層間変形に追従することができる。
また、下固定ナット１２６を中空部Ｐ１の幅に合わせた角ナット状とすることで、下固定ナット１２６が中空部Ｐ１内で供回りすることなく、確実に螺合することができる。
【００１６】
＜３．２＞下固定金物による外壁パネルの支持。
下固定金物１２の固定部１２１には、下辺から垂直部１２２とは逆方向に突設するパネル支持片１２７を形成する。
パネル支持片１２７は、下固定金物１２を外壁パネルＰに取り付けた際に外壁パネルＰの下端を支持する。
これにより、外壁パネルＰの重量は下固定金物１２のパネル支持片１２７からレール掛止部１２３を経由してレール２に伝達する。
レール２により外壁パネルＰの重量を受けるため、上固定金物１１やリベット１１２に外壁パネルＰの重量が作用せず、上固定金物１１やリベット１１２の径を小さくすることができる。
【００１７】
＜４＞外壁パネルの面内方向変位。
外壁パネルＰの上端に取り付けた上固定金物１１は、リベット１１２によりレール２に回動自在に取り付けられている。
そして、外壁パネルＰの下端に取り付けた下固定金物１２は、レール掛止部１２３をレール２に掛止しているため、面内方向は下方を除き自在に移動できる。
このため、地震時などの層間変形に追従することができる。
【００１８】
＜５＞部材。
上固定金物１１と下固定金物１２はそれぞれ独立した一体物であり、上固定ボルト１１４と下固定ボルト１２５、上固定ナット１１５と下固定ナット１２６は同一のものを用いることができるため、部材点数が少なくてすむ。
【００１９】
［実施例２］
＜１＞固定ナットの一体化。
実施例１においては、上固定金物１１および下固定金物１２の固定にはそれぞれ上固定ナット１１５、下固定ナット１２６を用いたが、外壁パネルＰの中空部Ｐ１が上下に連続している場合には、上固定ナット１１５と下固定ナット１２６を一体に中空部Ｐ１内で一体に繋いだ固定パネル１３を用いても良い（図３）。
固定パネル１３は長尺の板体であり、中空部Ｐ１に上下に亘って配置する。
固定パネル１３を用いることにより、上固定金物１１と下固定金物１２が固定パネル１３と一体となって外壁パネルＰを支持し、万が一、外壁パネルＰが破断した場合であっても、外壁パネルＰが脱落することがない。
【符号の説明】
【００２０】
１      固定金物
１１    上固定金物
１１１  レール固定面
１１２  リベット
１１３  ボルト孔
１１４  上固定ボルト
１１５  上固定ナット
１２    下固定金物
１２１  固定部
１２２  垂直部
１２３  レール掛止部
１２４  ボルト孔
１２５  下固定ボルト
１２６  下固定ナット
１２７  パネル支持片
１３    固定パネル
２      レール
３１    アンカーボルト
３２    アングル
３３    固定ボルト
【図１】
2018009383.tif 000003
【図２】
2018009383.tif 000004
【図３】
2018009383.tif 000005